【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
ネットワークに接続され、ブロック化されたブロックデータを順次送信するサーバ装置と、該ネットワークに接続され該サーバ装置からのブロックデータを受信して再生するクライアント端末とを有するデータ管理システムであって、
上記クライアント端末は、上記ブロックデータを記憶するデータ記憶手段と、上記データ記憶手段に記憶されたデータに基づき認証鍵を生成する鍵生成手段と、上記鍵生成手段により生成された認証鍵を上記サーバ装置に送信する送信手段とを備え、
上記サーバ装置は、上記クライアント端末から送信された上記認証鍵を認証する認証手段と、該認証手段により該認証鍵を認証したときのみ次のブロックデータを送信する送信手段とを備える
ことを特徴とするデータ管理システム。
【請求項２】
上記ブロックデータは、所定の時間単位に分割され、暗号化された暗号化データであって、
上記クライアント端末は、上記暗号化データを復号する復号手段を有する
ことを特徴とする請求項１記載のデータ管理システム。
【請求項３】
上記データ記憶手段は、ＶＲＡＭ（ビデオメモリ）である
ことを特徴とする請求項１記載のデータ管理システム。
【請求項４】
上記クライアント端末は、上記データ記憶手段に書き込まれたデータを表示する表示装置である
ことを特徴とする請求項１記載のデータ管理システム。
【請求項５】
上記鍵生成手段は、上記データ記憶手段に記憶されたデータに基づき復号鍵を生成し、
上記復号手段は、上記復号鍵を使用して上記暗号化データを復号する
ことを特徴とする請求項２記載のデータ管理システム。
【請求項６】
上記データ記憶手段は、ＶＲＡＭであり、
上記クライアント端末は、上記ＶＲＡＭに書き込まれたデータを表示する表示装置であり、
上記鍵生成手段は、上記ＶＲＡＭに上記データが書き込まれて上記表示装置に表示されると上記復号鍵を生成する
ことを特徴とする請求項５記載のデータ管理システム。
【請求項７】
上記鍵生成手段は、上記認証鍵に基づき復号鍵を生成し、
上記復号手段は、上記復号鍵を使用して上記暗号化データを復号する
ことを特徴とする請求項２記載のデータ管理システム。
【請求項８】
上記クライアント端末の復号手段は、上記鍵生成手段により生成された認証鍵を復号鍵として使用して上記暗号化データを復号する
ことを特徴とする請求項２記載のデータ管理システム。
【請求項９】
上記クライアント端末の上記鍵生成手段は、上記データ記憶手段に記憶されたデータのアドレスを指定する位置指定手段を有し、該位置指定手段により指定されたアドレスのデータを使用して認証鍵を生成する
ことを特徴とする請求項１記載のデータ管理システム。
【請求項１０】
ネットワークに接続され、ブロック化されたブロックデータを順次送信するサーバ装置と、該ネットワークに接続され該サーバ装置からのブロックデータを受信して再生するクライアント端末とを有するデータ管理システムのデータ管理方法であって、
上記サーバ装置が上記ブロックデータを上記クライアント端末に送信する送信工程と、
上記クライアント端末が上記サーバ装置から送信されたブロックデータを受信してデータ記憶手段に記憶するデータ記憶工程と、
上記データ記憶手段に記憶されたデータに基づき認証鍵を生成する鍵生成工程と、
上記鍵生成工程にて生成された認証鍵を上記サーバ装置に送信する送信工程と、
上記サーバ装置が上記クライアント端末から送信された上記認証鍵を認証する認証工程とを有し、
上記サーバ装置の上記ブロックデータを上記クライアント端末に送信する送信工程では、上記認証工程にて上記認証鍵を認証した場合のみ、次のブロックデータが送信される
ことを特徴とするデータ管理方法。
【請求項１１】
上記ブロックデータは、所定の時間単位に分割され、暗号化された暗号化データであって、
上記クライアント端末が上記サーバ装置から送信された上記暗号化データを復号する復号工程を有し、
上記データ記憶工程では、上記復号されたデータが記憶される
ことを特徴とする請求項１０記載のデータ管理方法。
【請求項１２】
ブロック化されたブロックデータを順次送信するサーバ装置にネットワークを介して接続され、該サーバ装置からのブロックデータを受信して再生するクライアント端末であって、
上記サーバ装置から送信される上記ブロックデータを受信する受信手段と、
上記ブロックデータを記憶するデータ記憶手段と、
上記データ記憶手段に記憶されたデータに基づき認証鍵を生成する鍵生成手段と、
上記鍵生成手段により生成された認証鍵を上記サーバ装置に送信する送信手段とを備え、
上記受信手段は、上記サーバ装置が上記送信手段により送信された上記認証鍵を認証したときのみ、次のブロックデータを受信する
ことを特徴とするクライアント端末。
【請求項１３】
上記ブロックデータは、所定の時間単位に分割され、暗号化された暗号化データであって、
上記暗号化データを復号する復号手段を有する
ことを特徴とする請求項１２記載のクライアント端末。
【請求項１４】
ブロック化されたブロックデータを、ネットワークを介してクライアント端末に順次送信するサーバ装置であって、
上記ブロックデータを送信する送信手段と、
上記クライアント端末が上記ブロックデータに基づき生成した認証鍵を受信する受信手段と、
上記受信手段により受信された上記認証鍵を認証する認証手段とを有し、
上記送信手段は、上記認証手段により上記認証鍵が認証されたときのみ、ブロックデータを送信する
ことを特徴とするサーバ装置。
【請求項１５】
上記ブロックデータは、所定の時間単位に分割され、暗号化された暗号化データであり、上記クライアント端末は表示装置であって、
上記暗号化データは、上記クライアント端末にて復号され表示されると生成可能な上記認証鍵を含む
ことを特徴とする請求項１４記載のサーバ装置。
【請求項１６】
ネットワークに接続され、暗号化された複数の暗号化データを送信するサーバ装置と、該ネットワークに接続され上記サーバ装置から送信される上記暗号化データを受信するクライアント端末とを有するデータ管理システムであって、
上記サーバ装置は、上記暗号化データを送信する送信手段を少なくとも備え、
上記クライアント端末は、上記暗号化データを復号する復号手段と、上記復号手段により復号された復号データを記憶するデータ記憶手段と、上記データ記憶手段に記憶された復号データに基づき暗号鍵を生成する暗号鍵生成手段とを備え、
上記クライアント端末の復号手段は、上記暗号鍵生成手段により、第１の暗号化データが復号された第１の復号データから生成された第１の暗号鍵が供給され、該第１の暗号鍵を使用して上記第１の暗号化データの次の第２の暗号化データを復号する
ことを特徴とするデータ管理システム。
【請求項１７】
上記クライアント端末の上記暗号鍵生成手段は、上記第１の復号データから得られた上記第１の暗号鍵とこの第１の暗号鍵を使用して上記第２の暗号化データが復号された第２の復号データとから、第２の暗号化データの次の第３の暗号化データを復号する第２の暗号鍵を生成する
ことを特徴とする請求項１６記載のデータ管理システム。
【請求項１８】
上記クライアント端末の上記暗号鍵生成手段は、上記復号データのアドレスを指定する位置指定手段を有し、該位置指定手段により指定されたアドレスの復号データを使用して暗号鍵を生成する
ことを特徴とする請求項１６記載のデータ管理システム。
【請求項１９】
上記データ記憶手段は、ＶＲＡＭである
ことを特徴とする請求項１６記載のデータ管理システム。
【請求項２０】
上記クライアント端末は、上記データ記憶手段に書き込まれたデータを表示する表示装置である
ことを特徴とする請求項１６記載のデータ管理システム。
【請求項２１】
上記データ記憶手段は、ＶＲＡＭであり、
上記クライアント端末は上記ＶＲＡＭに書き込まれたデータを表示する表示装置であり、
上記暗号鍵生成手段は、上記ＶＲＡＭに上記第１の復号データが書き込まれて上記表示装置に表示されると上記第２の暗号化データを復号する上記第１の暗号鍵を生成する
ことを特徴とする請求項１６記載のデータ管理システム。
【請求項２２】
上記暗号化データは、複数のフレームデータが暗号化されたものであり、
上記クライアント端末の上記位置指定手段は、複数のフレームデータのうち、予め決められた所定のフレームデータにおけるアドレスを指定する
ことを特徴とする請求項１８記載のデータ管理システム。
【請求項２３】
上記暗号化データは、複数のフレームデータが暗号化されたものであり、
上記クライアント端末の上記位置指定手段は、複数フレームデータのいずれかであるキーフレームを指定すると共に該キーフレームにおけるアドレスを指定する
ことを特徴とする請求項１８記載のデータ管理システム。
【請求項２４】
上記クライアント端末は、上記暗号鍵を上記サーバ装置に送信する送信手段を有し、
上記サーバ装置は、上記クライアント端末からの上記暗号鍵を受信する受信手段を有し、
上記サーバ装置の送信手段は、上記受信手段が上記第１の暗号化データに基づく第１の暗号鍵を受信すると、上記第２の暗号化データを送信する
ことを特徴とする請求項１６記載のデータ管理システム。
【請求項２５】
上記クライアント端末は、上記暗号鍵に基づく認証データを送信する送信手段を有し、
上記サーバ装置は、該クライアント端末からの上記認証データを認証する認証手段を有し、該認証手段が上記第１の暗号鍵に基づく第１の認証データを認証すると、上記第２の暗号化データを送信する
ことを特徴とする請求項１６記載のデータ管理システム。
【請求項２６】
ネットワークに接続され、複数の暗号化データを送信するサーバ装置と、該ネットワークに接続され上記サーバ装置から送信される上記暗号化データを受信するクライアント端末とを有するデータ管理システムのデータ管理方法であって、
上記サーバ装置が上記クライアント端末に暗号化データを送信する送信工程と、
上記クライアント端末が上記サーバ装置から送信された暗号化データを受信して復号する復号工程と、
上記クライアント端末が上記復号工程にて復号された復号データをデータ記憶手段に記憶するデータ記憶工程と、
上記クライアント端末が上記データ記憶工程にて記憶された復号データに基づき暗号鍵を生成する暗号鍵生成工程とを有し、
上記復号工程では、第１の暗号化データが復号された第１の復号データから生成された第１の暗号鍵を使用して、上記第１の暗号化データの次に受信された第２の暗号化データが復号される
ことを特徴とするデータ管理方法。
【請求項２７】
上記暗号鍵生成工程では、上記第１の復号データから得られた第１の暗号鍵とこの第１の暗号鍵を使用して上記第２の暗号化データが復号された第２の復号データとから、上記第２の暗号化データの次に受信された第３の暗号化データを復号する第２の暗号鍵が生成される
ことを特徴とする請求項２６記載のデータ管理方法。
【請求項２８】
上記クライアント端末が上記暗号鍵を上記サーバ装置に送信する送信工程と、
上記サーバ装置が上記暗号鍵を受信する受信工程とを有し
上記サーバ装置が上記クライアント端末に暗号化データを送信する送信工程では、上記受信工程にて上記クライアント端末からの上記第１の暗号化データに基づく第１の暗号鍵を受信すると、上記第２の暗号化データが送信される
ことを特徴とする請求項２６記載のデータ管理方法。
【請求項２９】
上記クライアント端末が上記暗号鍵に基づく認証データを上記サーバ装置に送信する送信工程と、
上記サーバ装置が上記クライアント端末からの認証データを認証する認証工程とを有し、
上記サーバ装置が上記クライアント端末に暗号化データを送信する送信工程では、上記認証工程にて上記第１の暗号鍵に基づく第１の認証データが認証されると、上記第２の暗号化データが送信される
ことを特徴とする請求項２６記載のデータ管理方法。
【請求項３０】
複数の暗号化データを送信するサーバ装置にネットワークを介して接続され、該サーバ装置から送信される該暗号化データを受信するクライアント端末であって、
上記暗号化データを受信する受信手段と、
上記暗号化データを復号する復号手段と、
上記復号手段により復号された復号データを記憶するデータ記憶手段と、
上記データ記憶手段に記憶された復号データに基づき暗号鍵を生成する暗号鍵生成手段とを備え、
上記復号手段は、上記暗号鍵生成手段により、第１の暗号化データが復号された第１の復号データから生成された第１の暗号鍵が供給され、該第１の暗号鍵を使用して上記第１の暗号化データの次に受信された第２の暗号化データを復号する
ことを特徴とするクライアント端末。
【請求項３１】
上記暗号鍵生成手段は、上記第１の復号データから得られた第１の暗号鍵とこの第１の暗号鍵を使用して上記第２の暗号化データが復号された第２の復号データとから、上記第２の暗号化データの次に受信された第３の暗号化データを復号する第２の暗号鍵を生成する
ことを特徴とする請求項３０記載のクライアント端末。
【請求項３２】
所定の時間単位に分割され、暗号化された複数の暗号化データを復号するデータ復号装置において、
上記暗号化データを復号する復号手段と、
上記復号手段により復号された復号データを記憶するデータ記憶手段と、
上記データ記憶手段に記憶された復号データに基づき暗号鍵を生成する暗号鍵生成手段とを備え、
上記復号手段は、上記暗号鍵生成手段により、第１の暗号化データが復号された第１の復号データから生成された第１の暗号鍵が供給され、該第１の暗号鍵を使用して上記第１の暗号化データの次の第２の暗号化データを復号する
ことを特徴とするデータ復号装置。
【請求項３３】
所定の時間単位に分割され、暗号化された複数の暗号化データを復号するデータ復号方法において、
上記暗号化データを復号する復号工程と、
上記復号工程にて復号された復号データをデータ記憶手段に記憶する記憶工程と、
上記データ記憶手段に記憶された復号データに基づき暗号鍵を生成する暗号鍵生成工程と有し、
上記復号工程では、上記暗号鍵生成工程にて、第１の暗号化データが復号された第１の復号データから生成された第１の暗号鍵が供給され、該第１の暗号鍵を使用して上記第１の暗号化データの次の第２の暗号化データが復号される
ことを特徴とするデータ復号方法。
【請求項３４】
所定の時間単位に分割され、暗号化された複数の暗号化データが記録された記録媒体であって、
第２の暗号化データを復号する第１の復号鍵が、該第２の暗号化データの時間的に前の第１の暗号化データが復号された復号データに含まれるものであって、該第１の復号鍵は、上記第１の暗号化データを復号して再生すると得られるものである
ことを特徴とする暗号化データが記録された記録媒体。
【手続補正２】
【補正対象書類名】明細書
【補正対象項目名】００２２
【補正方法】変更
【補正の内容】
【００２２】
また、上記クライアント端末は、上記暗号鍵を上記サーバ装置に送信する送信手段を有し、上記サーバ装置は、上記クライアント端末からの上記暗号鍵を受信する受信手段を有し、上記サーバ装置の送信手段は、上記受信手段が上記第１の暗号化データに基づく第１の暗号鍵を受信すると、上記第２の暗号化データを送信してもよく、前の暗号化データから生成した暗号鍵を次の暗号化データの復号鍵として使用すると共に、クライアント端末の認証として使用することができ、更にサーバ装置が送信するデータを更に安全に管理することができる。